(57)【特許請求の範囲】
【請求項１】
プラスチック等の化成品、陶磁器、コンクリート、セラミックス等二次製品で構成された垂直面の流下面のほぼ全面にわたる表面に横方向に開設された複数の細溝を溝幅程度の短い間隔で設け、前記表面に上端から少量の水を溢水させる給水装置を設け、
給水装置により流下面の上端から静かに溢水された流下水が細溝を乗り越えて下側に流下する際の流路抵抗の変化により小さなさざ波を部分的に発生させるようにしたことを特徴とする装飾用さざ波発生装置。
【請求項２】
前記複数の細溝は実質的に水平で平行している水平溝、又は水平線に対して僅かに一方向に傾斜して平行な傾斜溝であり、これらの細溝は前記流下面の表面のほぼ全面にわたって開設されていることを特徴とする請求項１の装飾用さざ波発生装置。
【請求項３】
前記複数の細溝は水平線から僅かに傾斜し、その長さが前記流下面の全幅にわたらない短い傾斜溝で、かつその傾斜方向が上下の隣接する傾斜溝の傾斜方向と逆方向をなしていることを特徴とする請求項１の装飾用さざ波発生装置。
【請求項４】
前記流下面の表面に前記水平溝又は傾斜溝の他に図柄を設けたことを特徴とする請求項１の装飾用さざ波発生装置。
【請求項５】
透明体のプラスチック等の化成品で構成された垂直面の流下面のほぼ全面にわたる表面に横方向に開設された複数の細溝を溝幅程度の短い間隔で設けると共に、裏面に図柄を設けて表面から図柄が見えかくれするようにし、さらに、前記表面に上端から少量の水を溢水させる給水装置を設け、
給水装置により流下面の上端から静かに溢水された流下水が細溝を乗り越えて下側に流下する際の流路抵抗の変化により小さなさざ波を部分的に発生させるようにしたことを特徴とする装飾用さざ波発生装置。
【請求項６】
透明体又は不透明体のプラスチック等の化成品、陶磁器、コンクリート、セラミックス等二次製品で構成された垂直面の流下面のほぼ全面にわたる表面に横方向に開設された複数の細溝を溝幅程度の短い間隔で設け、
前記表面に上端から溢水させる給水装置を設け、この給水装置の給水量が常に一定であるか、又は時間と共に緩慢に変動しており、
給水装置により流下面の上端から静かに溢水された流下水が細溝を乗り越えて下側に流下する際の流路抵抗の変化により小さなさざ波を部分的に発生させるようにしたことを特徴とする装飾用さざ波発生装置。
【請求項７】
流下水の下部の流下水槽内に流下水槽内のみを照明する照明装置、又は透明体の流下面の裏面から照明する照明装置を設けたことを特徴とする請求項１又は５の流下水による室内装飾装置。
【発明の詳細な説明】
【０００１】
【発明の属する技術分野】
本発明は流下水による装飾装置に関し、特に表面を流下する水の流下パターンを変化させる装置に関する。
【０００２】
【従来の技術】
従来、水を使用した装飾装置として、水を滝状に落下させるか、小規模の噴水を使用したものが一般的である。
【０００３】
【発明が解決しようとする課題】
この様な流下水には躍動美はあるが、その反面、水の飛沫が飛び散るため、広い設置面積が必要である。
又、使用する水量も多く、特に梅雨時等の湿度の高い季節には必ずしも最適な状態で演出することが困難な場合もある。
【０００４】
本発明は上述の問題を解決し、少量の水で、かつ狭い場所で静粛に使用出来る、例えば室内では壁、柱、ホール中央等に装飾用のさざ波発生装置を提供することを課題とする。
【０００５】
【課題を解決するための手段】
上述の課題を解決するために、プラスチック等の化成品、陶磁器、コンクリート、セラミックス等二次製品で構成された垂直面の流下面のほぼ全面にわたる表面に横方向に開設された複数の細溝を溝幅程度の短い間隔で設け、
前記表面に上端から少量の水を溢水させる給水装置を設け、
給水装置により流下面の上端から静かに溢水された流下水が細溝を乗り越えて下側に流下する際の流路抵抗の変化により小さなさざ波を部分的に発生させるようにしたものである。
【０００６】
上述の複数の細溝は実質的に水平で平行している水平溝、又は水平線に対して僅かに一方向に傾斜して平行な傾斜溝であり、これらの細溝は流下面の表面のほぼ全面にわたって開設されているものと、水平線から僅かに傾斜し、その長さが流下面の全幅にわたらない短い傾斜溝で、かつその傾斜方向が上下の隣接する傾斜溝の傾斜方向と逆方向をなしているものとがある。
【０００７】
上述の流下面の表面に前記水平溝又は傾斜溝の他に図柄を設けたもの、或いは透明体のプラスチック等の化成品で構成された垂直面の流下面のほぼ全面にわたる表面に横方向に開設された複数の細溝を溝幅程度の短い間隔で設けると共に、裏面に図柄を設けて表面から図柄が見えかくれする効果を持たせたものとがある。
【０００８】
上述の給水装置は給水量が常に一定であるか、又は時間と共に緩慢に変動しているものとがある。
【０００９】
流下水の下部の流下水槽内に流下水槽内のみを照明する照明装置、又は透明体の流下面の裏面から照明する照明装置を設けたものがある。
【００１０】
【発明の実施の形態】
本発明は垂直面の表面に上端から水を静かに流下せしめ、途中の複数の細溝、又は表面に設けた図柄により流下水の流下状況を変化させ、流下面上での流下パターンの変化によるインテリアとしての演出効果をもたせる装置である。
【００１１】
図１は本発明の装飾装置の基本的な形状の説明図で、流下面１はプラスチック等の化成品、陶磁器、コンクリート、セラミックス等で構成されたものである。
図１（イ）は水の流下面１に開設した細溝２は実質的に水平で平行している水平溝２ａで、流下面１のほぼ全面にわたっており、細溝２の間隔は溝幅程度の小さいものである。
又、水は図示しない給水装置により流下面１の上端から静かに溢水する程度に供給されており、この結果、流下水は細溝２を乗り越えて下側に流下する際の流路抵抗の変化による小さなさざ波を部分的に発生させる。
【００１２】
図１（ロ）は細溝２は水平線に対して僅かに一方向に傾斜して平行な傾斜溝  ２ｂであり、これらの細溝２（２ｂ）は流下面１のほぼ全面にわたって開設されており、其の他の部分は同図（イ）の場合と同じである。
【００１３】
図１（ハ）は細溝２は水平線に対して僅かに傾斜した傾斜溝２ｃであるが、同図（ロ）との相違は各傾斜溝２ｃはそれぞれ上下の傾斜溝２ｃと逆方向に傾斜していることと、傾斜溝２ｃの長さが流下面１の幅より短く、かつそれぞれの長さが不等であることである。
この結果、流下水が傾斜溝２ｃを乗り越えてさざ波を発生させることは上述の（イ）、（ロ）の場合と同じであるが、一部の流下水は傾斜溝２ｃに沿って流下し、その下端で下側の傾斜溝２ｃの中間部に流下するので、全体の流下パターンが極めて複雑となることである。
【００１４】
図２（イ）は流下面１に細溝２の他に図柄３を施したものの斜視図である。
図２（ロ）は流下面１の断面図で、図柄３は表面に凹設したもの、又は表面から可及的に水流を乱さないような脚によって離隔した状態で架設したもので、流下水は図柄部分で複雑なパターンを呈するもの、或いは図柄が流下水の上に浮いた状態に見えるものである。
図２（ハ）は同じく流下面１の断面図であるが、この場合は流下面１は透明な素材で構成されており、表面には細溝２が開設され、裏面には図柄３が凹設されているものと、透明体での図柄３を貼付したものとがある。
この結果、流下パターンは図１（イ）、（ロ）の場合と同じであるが、裏面に設けた図柄は流下面１を通して表面から見ると流水の中に見えるため、図２（ロ）の場合とは異なった雰囲気をかもし出す。
【００１５】
又、図示しない給水装置（ポンプや水道等）からの給水量は常に一定量の場合と、時間と共に緩慢に変動する場合とがあるが、何れを採っても良いことは勿論である。
【００１６】
更に、流下水の下側の流下水槽内又は上部の溢水部分に流下水の水層のみを照明する照明装置を設けることにより、水層の光の屈折作用により周囲を余り明るくせずに流下パターンを際立たせる事が可能である。
【００１７】
【発明の効果】
不規則な動きを持った装飾装置として視覚を楽しませることが可能であり、しかも少量の流下水を使用するため広い設置場所が必要でない。
【００１８】
普通の滝や噴水のような音や飛沫が発生せず、静粛な室内雰囲気を維持することが可能であると共に、梅雨時等の高湿度の時でもフル可動が可能である。
【００１９】
流下水量を変動させることにより、流下パターンを更に大きく変動させることが可能である。
【００２０】
流下水の水層のみを照明することにより、暗い雰囲気の中でも幻想的な流下パターンを実現することが可能である。
【００２１】
室内で使用する場合には、塵や埃等の空気中の浮遊物を水流によって流し去るために、室内空気の浄化の効果が大きい。
【図面の簡単な説明】
【図１】本発明の室内装飾装置の基本的な形状の説明図で、図１（イ）は細溝は水平溝で、流下面の全幅にわたっているもの、図１（ロ）は細溝は僅かに一方向に傾斜した傾斜溝で、流下面の全幅にわたっているもの、図１（ハ）は細溝は僅かに傾斜した傾斜溝で、それぞれ上下の傾斜溝と逆方向に傾斜していおり、傾斜溝の長さが流下面の幅より短く、かつそれぞれの長さが不等であるものである。
【図２】流下面に細溝の他に図柄を施したもので、図２（イ）は全体の斜視図、図２（ロ）は流下面の断面図で、図柄を表面に凹設又は架設したもの、図２（ハ）は同じく流下面の断面図で、図柄を裏面に凹設又は貼付したものである。
【符号の説明】
１      流下面
２      細溝
２ａ    水平溝
２ｂ    傾斜溝
２ｃ    傾斜溝（短長溝）
３      図柄
【図１】
0003863944.tif 000002
【図２】
0003863944.tif 000003